(57)【要約】【課題】より高い効果を発揮することのできるインフルエンザ予防マスクを提供する。【解決手段】本発明の一観点に係るインフルエンザ予防マスクは、複数枚の不織布を重ねて配置してなるマスクと、ケイヒ抽出流エキスを含み、複数枚の不織布の間に挿入されるシートと、を含むことを特徴とする。この場合において、マスクは、複数枚の不織布を、線を形成しつつ圧着してシートを収納するシート収納部を形成し、複数枚の不織布シートを複数回折り返した後、さらに、シート収納部を囲むよう前記複数枚の不織布シートの縁部を圧着してなるものであることが好ましい。【選択図】  図１
2017002432.tif 000002
【特許請求の範囲】
【請求項１】
複数枚の不織布を重ねて配置してなるマスクと、
ケイヒ抽出流エキスを含み、前記複数枚の不織布の間に挿入されるシートと、を含むインフルエンザ予防マスク。
【請求項２】
前記マスクは、前記複数枚の不織布を、線を形成しつつ圧着して前記シートを収納するシート収納部を形成し、前記複数枚の不織布シートを複数回折り返した後、さらに、前記シート収納部を囲むよう前記複数枚の不織布シートの縁部を圧着してなるものである請求項１記載のインフルエンザ予防マスク。
【請求項３】
前記マスクは、一方の不織布側に防水シートが貼付されている請求項１記載のインフルエンザ予防マスク。
【請求項４】
前記シートは、一方の面が防水シートによって覆われたものである請求項１記載のインフルエンザ予防マスク。
【請求項５】
前記シートは、側面も防水シートによって覆われている請求項１記載のインフルエンザ予防マスク。
【発明の詳細な説明】
【技術分野】
【０００１】
本発明は、インフルエンザ予防マスクに関する。
【背景技術】
【０００２】
インフルエンザは、インフルエンザウイルスによって発熱、頭痛、咳等の症状を引き起こす急性感染症であり、その予防は非常に重要である。
【０００３】
インフルエンザを予防するための技術として、例えば下記特許文献１には、ケイヒ抽出流エキスを用いてインフルエンザを予防しようとする技術が開示されている。
【先行技術文献】
【特許文献】
【０００４】
【特許文献１】特開２０１３−１５３８８９号公報
【発明の概要】
【発明が解決しようとする課題】
【０００５】
しかしながら、上記特許文献１に記載の技術は、マスク及びケイヒ抽出流エキスを含むシートについて、その効果を発揮するための具体的な構成に関し検討すべき課題を残す。
【０００６】
そこで、本発明は、より高い効果を発揮することのできるインフルエンザ予防マスクを提供することを目的とする。
【課題を解決するための手段】
【０００７】
上記課題を解決する第一の観点に係るインフルエンザ予防マスクは、複数枚の不織布シートを重ねて配置してなるマスクと、ケイヒ抽出流エキスを含み、複数枚の不織布の間に挿入されるシートと、を含むことを特徴とする。
【０００８】
本観点において、限定されるわけではないが、マスクは、複数枚の不織布を、線を形成しつつ圧着してシートを収納するシート収納部を形成し、複数枚の不織布シートを複数回折り返した後、さらに、シート収納部を囲むよう複数枚の不織布シートの縁部を圧着してなるものであることが好ましい。
【０００９】
また本観点において、限定されるわけではないが、マスクは、一方の不織布側に防水シートが貼付されていることが好ましい。
【００１０】
また本観点において、限定されるわけではないが、シートは、一方の面が防水シートによって覆われたものであることが好ましい。
【００１１】
また本観点において、限定されるわけではないが、シートは、側面も防水シートによって覆われていることが好ましい。
【発明の効果】
【００１２】
以上、本発明によって、より高い効果を発揮することのできるインフルエンザ予防マスクを提供することができる。
【図面の簡単な説明】
【００１３】
【図１】実施形態に係るインフルエンザ予防マスクの概略を示す図である。
【図２】実施形態に係るマスクのシート収納部に関する概略図である。
【図３】実施形態に係るマスクの断面に関する概略図である。
【図４】実施形態に係るマスクの防水シートを設けた場合の概略図である。
【図５】実施形態に係るシートの概略を示す図である。
【図６】実施形態に係るシートの他の一例の概略を示す図である。
【図７】実施形態に係るシートの他の一例の概略を示す図である。
【発明を実施するための最良の形態】
【００１４】
以下、本発明の具体的な形態について、図面を用いて詳細に説明する。ただし、本発明は様々な態様による実施が可能であり、以下に示す実施形態の具体的な例示、記載にのみ限定されるわけではない。
【００１５】
図１は、本実施形態にかかるインフルエンザ予防マスク（以下「本予防マスク」という。）の概略を示す図である。
【００１６】
本予防マスク１は、複数枚の不織布２１を重ねて配置してなるマスク２と、ケイヒ抽出流エキスを含み、複数枚の不織布の間に挿入されるシート３と、を含む。本予防マスクの使用者は、マスク２にシート３を挿入し、耳かけ部２２を耳にかけて使用者の鼻腔及び口元を覆うように固定する。すると、シート３内に含まれるケイヒ抽出流エキスが放散し、使用者の呼吸に応じ使用者の体内に取り込まれる。結果、使用者はインフルエンザの予防効果を得ることができる。特に、本予防マスク１では不織布２１を採用しており、複数枚重ねても薄くすることが可能であるとともに、より密着性を高め安定的にシートを配置し、ケイヒ抽出流エキスによりインフルエンザ予防を実現することができる。
【００１７】
本実施形態において、マスク２は、本予防マスク１の一部構成をなすものであって、複数枚の不織布２１を重ねて配置してなるマスクである。複数枚の不織布による構成を採用することで、低コストで生産可能となるとともに、使いきりとすることでシートに含ませる成分の経時的な劣化等に起因する衛生面上の課題を解決することができる。
【００１８】
また本実施形態において、マスク２の構成は、限定されるわけではないが、複数枚の不織布を、線を形成しつつ圧着してシート収納部を形成し、複数枚の不織布シートを複数回折り返した後、さらに、シート収納部を囲むよう複数枚の不織布シートの縁部を圧着してなるものであることが好ましい。
【００１９】
より具体的に説明すると、まずマスク２では、複数枚の不織布を、線を形成しつつ圧着してシート収納部を形成する。シート収納部は、シート３を挿入する部分である。本実施形態では、限定されるわけではないが線によって圧着することで圧着面積を少なくして、後の折り曲げの際に必要となる力をできる限り小さく抑えつつ、より簡便にシート収納部を形成することができる。シート収納部に関する概略図を図２に示しておく。なお、線によって形成されるこのシート収納部の形状は特に限定されないが、収納するシートの形状より大きいことが必要であり、好ましくは、シート３の形状と同様の形状であること、例えばシート３が四角形であれば開口部のある四角形であることが好ましい。
【００２０】
次に、マスク２では、複数枚の不織布シートが複数回折り返される。この概略図を図３に示す。より具体的には山折りと谷折りを繰り返し、山部と谷部を複数形成する。このように複数の山部と谷部を形成するよう折り曲げることで、使用前は場所を不必要に取ることなくコンパクトに積み重ねることができる一方、使用時に広げることで使用者の顔の形状に密着させることが可能となる。さらに、本実施形態では、シート収納部そのものも形成した後で折り曲げるため、この折り曲げた山部又は谷部が挿入されるシート３をより安定的に固定するよう押さえつける効果もある。
【００２１】
またマスク２では、シート収納部を囲むよう複数枚の不織布シートの縁部を圧着する。なおこの際、マスクの耳かけ部２２を一緒に圧着しておくことが好ましい。
【００２２】
また、本実施形態において、限定されるわけではないが、マスク２は、一方の不織布側に防水シート２３が貼付されていることが好ましい。この場合の例を図４に示しておく。シート３にはケイヒ抽出流エキスを含ませているため水やアルコール等の液体が含浸されており、使用時にこの液体が染み出すことがある。ケイヒ抽出流エキスはシナモンから抽出されるものであり、褐色等の色を持っているのが一般的である。従って、使用時に液体が染み出すことはマスク２における不織布が色づくことになり、使用時における見た目が悪くなってしまうといった問題が生ずる。そこで、防水シート２３を貼付することで、この不織布への染み込みを防止し、見た目を良く維持することができる。
【００２３】
本実施形態において、防水シート２３の配置としては特に限定されるわけではないが、複数の不織布のうち、外側すなわち使用者の口元に当たらない側の不織布に設けられることが好ましく、より好ましくは口元に当たらない側であって、一対の不織布の内側に配置されることが好ましい。なお、防水シート２３の貼付する領域としては特に限定されず、シート収納部のみに配置されていても良いが、マスク２の領域全域に添付されていても良い。
【００２４】
なお本実施形態において、防水シート２３としては、使用時において上記の防水性を確保できるものであれば特に限定されず様々なものを採用することができ、例えばユポ紙等の防水紙等を挙げることができる。
【００２５】
また本実施形態において、シート３は、上記のとおりケイヒ抽出流エキスを含み、複数枚の不織布の間に挿入されるものである。シートの概略について図５に示しておく。なおここで、ケイヒ抽出流エキスは、シナモンから抽出されるエキスであり、シンナムアルデヒド等の有効成分を含む。ケイヒ抽出流エキスはシンナムアルデヒド等の有効成分を含むことによって、インフルエンザを防止することができる。
【００２６】
本実施形態においてシート３は、薄い膜状の部材であり、ケイヒ抽出流エキスを含浸させることができる限りにおいて材質としては布であっても紙であってもよい。
【００２７】
また本実施形態において、シート３の形状は特に限定されない。ただし、製造上の観点からは円形又は多角形状であることが好ましく、より好ましくは四角形である。
【００２８】
また本実施形態において、シート３に含ませるケイヒ抽出流エキスの量としては特に限定されるわけではないが、例えば１．０ｇ以上２．０ｇ以下の範囲であることが好ましく、より好ましくは１．２ｇ以下の範囲である。この範囲とすることで、一日における使用頻度及び使用時間を想定した上で、十分にケイヒ抽出流エキス、シンナムアルデヒドを放散させることが可能となる。例えば、上記の範囲とすることで、一日１回又は２回のシート３の交換で十分な効果を得ることができるようになる。
【００２９】
また本実施形態において、上記範囲下でシート３に含ませるシンナムアルデヒドの量としては特に限定されるわけではないが、１２ｍｇ以上２０ｍｇ以下の範囲であることが好ましく、より好ましくは１５ｍｇ以下の範囲である。この範囲とすることで、想定される使用時間中、空気中で１時間あたり０．７ｍｇ〜５ｍｇの放散を可能とすることができる。
【００３０】
また本実施形態において、シート３の一方の面は、防水シート３１によって覆われたものであることが好ましい。この場合の例を図６に示しておく。上記のとおり、シナモンから抽出されるケイヒ抽出流エキスは一般に褐色を呈しているため、シート３の一方の面に防水シート３１を貼付することでシート３から不織布に染み出してしまうことによる色付きを抑えることができる。また、シート３の一方の面に防水シート３１を貼ることで、この面すなわち使用者から離れた側におけるケイヒ抽出流エキスの放散も抑えることができ、使用者の体内により効率的に取り込ませることが可能となる。さらに、防水シート３１を不織布と同様の色例えば白にすることによって、薄い不織布であってもシートの色を目立たせなくすることが可能となる。
【００３１】
また、本実施形態において、シート３は、さらに、側面も防水シートによって覆われていることが好ましい。この場合の例を図７に示しておく。上記のとおり、一方の面に防水シートを貼付することで一応の色付きを抑えることが出来るが、使用者の動作に応じてシート３がマスク２内で動くような場合、側面がマスク２の不織布と接する結果、不織布に染み出しやすくなり、色づいてしまうこともある。これに対し、側面も防水シートで覆われることで、この不織布との接触をできる限り抑え、色付きをできる限り抑えることが出来るようになる。
【００３２】
また、本実施形態において、シート３は、装着前には、防水袋によって個別包装されていることが好ましい。このようにしておくことで、水の蒸散を防ぐことが出来る。
【００３３】
以上、本実施形態により、より高い効果を発揮することのできるケイヒ抽出流エキスを含むインフルエンザ予防マスクを提供することができる。特に、本予防マスクは複数の不織布を圧着したマスクを用いており、低価格での量産化が可能であるとともに、シートを安定的に維持することが可能であって、より効果が高くなる。さらに、防水シートを設けることで一般的に色付きのあるケイヒ抽出流エキスであってもその色付きを抑えることができ、見た目が悪くなってしまうことも抑えることができ非常に効果が高いものである。
【産業上の利用可能性】
【００３４】
本発明は、インフルエンザ予防マスクとして産業上の利用可能性がある。
【符号の説明】
【００３５】
１……インフルエンザ予防マスク
２……マスク
３……シート
【図１】
2017002432.tif 000003
【図２】
2017002432.tif 000004
【図３】
2017002432.tif 000005
【図４】
2017002432.tif 000006
【図５】
2017002432.tif 000007
【図６】
2017002432.tif 000008
【図７】
2017002432.tif 000009